(57)【要約】【課題】  製造の際にパイプジョイント部材の誤組を防止しうる熱交換器を提供する。【解決手段】  熱交換器は、前後方向に並んで配置された冷媒入口ヘッダ部５および冷媒出口ヘッダ部６と、両ヘッダ部5,6を通じさせる冷媒循環経路とを備えている。両ヘッダ部5,6の一端を第１キャップ19により閉鎖し、同他端を第２キャップ18により閉鎖する。第１キャップ19に冷媒入口37および冷媒出口38を形成する。冷媒入口37に通じる冷媒流入部45および冷媒出口38に通じる冷媒流出部46を有するパイプジョイント部材21を第１キャップ19に接合する。第１キャップ19に嵌合凹所19a,19bを形成し、パイプジョイント部材21に、第１キャップ19側に突出しかつ嵌合凹所19a,19b内に嵌る嵌合凸部21a,21bを形成する。第２キャップ18には嵌合凸部21a,21bが嵌る嵌合凹所を形成しない。【選択図】      図７
2006275372.tif 000002
【特許請求の範囲】
【請求項１】
前後方向に並んで配置された冷媒入口ヘッダ部および冷媒出口ヘッダ部と、両ヘッダ部を通じさせる冷媒循環経路とを備えており、冷媒入口ヘッダ部の一端に冷媒入口が形成されるとともに、冷媒出口ヘッダ部における冷媒入口と同一端に冷媒出口が形成され、冷媒入口から冷媒入口ヘッダ部内に流入した冷媒が、冷媒循環経路を通って冷媒出口ヘッダ部に戻り、冷媒出口から送り出されるようになっている熱交換器であって、
冷媒入口ヘッダ部および冷媒出口ヘッダ部の一端が、両ヘッダ部に跨って接合された第１キャップにより閉鎖されるとともに、同他端が、両ヘッダ部に跨って接合された第２キャップにより閉鎖され、第１キャップにおける冷媒入口ヘッダ部を閉鎖する部分に冷媒入口が形成されるとともに、同じく冷媒出口ヘッダ部を閉鎖する部分に冷媒出口が形成され、冷媒入口に通じる冷媒流入部および冷媒出口に通じる冷媒流出部を有するパイプジョイント部材が第１キャップに接合されており、第１キャップに嵌合凹所が形成されるとともに、パイプジョイント部材に、第１キャップ側に突出しかつ嵌合凹所内に嵌る嵌合凸部が形成され、第２キャップには嵌合凸部が嵌る嵌合凹所が形成されていない熱交換器。
【請求項２】
パイプジョイント部材がプレート状である請求項１記載の熱交換器。
【請求項３】
第１および第２キャップの外形が、嵌合凹所を除いて同一である請求項１または２記載の熱交換器。
【請求項４】
パイプジョイント部材の冷媒流入部および冷媒流出部がそれぞれ短円筒状であり、冷媒流入部に、冷媒入口管の端部が差し込まれて接合され、冷媒流出部に、冷媒出口管の端部が差し込まれて接合されている請求項１〜３のうちのいずれかに記載の熱交換器。
【請求項５】
冷媒流入部の外径が冷媒流出部の外径よりも小さくなっている請求項４記載の熱交換器。
【請求項６】
第１キャップにおける前後方向の中心からずれた位置に嵌合凹所が形成されている請求項１〜５のうちのいずれかに記載の熱交換器。
【請求項７】
嵌合凹所が、第１キャップの周縁部に形成された切り欠きからなる請求項１〜６のうちのいずれかに記載の熱交換器。
【請求項８】
冷媒入口ヘッダ部の後側に冷媒出口ヘッダ部が配置され、冷媒循環経路が、冷媒入口ヘッダ部の下方にこれと対向するように配置された冷媒流入側中間ヘッダ部、冷媒出口ヘッダ部の下方にこれと対向するように配置された冷媒流出側中間ヘッダ部および複数の熱交換管により構成されており、冷媒流入側中間ヘッダ部と冷媒流出側中間ヘッダ部とが連通させられ、冷媒入口ヘッダ部と冷媒流入側中間ヘッダ部との間、および冷媒出口ヘッダ部と冷媒流出側中間ヘッダ部との間に、それぞれ各ヘッダ部の長さ方向に間隔をおいて配置された複数の熱交換管からなる熱交換管群が少なくとも１列配置されて熱交換コア部が形成され、これらの熱交換管群を構成する熱交換管の両端部が互いに対向するヘッダ部に接続されている請求項１〜７のうちのいずれかに記載の熱交換器。
【請求項９】
冷媒出口ヘッダ部内が区画手段により高さ方向に２つの空間に区画されるとともに、区画手段に冷媒通過穴が形成され、冷媒出口ヘッダ部の第１の空間が冷媒出口に通じているとともに、第２の空間に臨むように熱交換管が接続されている請求項８記載の熱交換器。
【請求項１０】
両キャップに、冷媒入口ヘッダ部内に嵌入される第１内方突出部、冷媒出口ヘッダ部の第１空間内に嵌入される第２内方突出部、および冷媒出口ヘッダ部の第２空間内に嵌入される第３内方突出部が形成されている請求項９記載の熱交換器。
【請求項１１】
第１キャップにおける第１内方突出部の突出端壁に冷媒入口が形成され、同じく第２内方突出部の突出端壁に冷媒出口が形成されている請求項１０記載の熱交換器。
【請求項１２】
冷媒入口ヘッダ部と冷媒出口ヘッダ部とが一体化されている請求項９〜１１のうちのいずれかに記載の熱交換器。
【請求項１３】
冷媒入口ヘッダ部と冷媒出口ヘッダ部とが、両ヘッダ部の熱交換管側の部分を形成しかつ熱交換管が接続された第１部材と、両ヘッダ部の熱交換管とは反対側の部分を形成しかつ第１部材に接合された第２部材とからなり、これにより両ヘッダ部が一体化されている請求項１２記載の熱交換器。
【請求項１４】
第２部材に、冷媒入口ヘッダ部と冷媒出口ヘッダ部とを区画する仕切手段と、冷媒出口ヘッダ部内を高さ方向に２つの空間に区画する区画手段とが形成されている請求項１３記載の熱交換器。
【請求項１５】
第２部材がアルミニウム押出形材で形成されている請求項１４記載の熱交換器。
【請求項１６】
圧縮機、コンデンサおよびエバポレータを備えており、エバポレータが、請求項１〜１５のうちのいずれかに記載の熱交換器からなる冷凍サイクル。
【請求項１７】
請求項１６記載の冷凍サイクルが、エアコンとして搭載されている車両。
【発明の詳細な説明】
【技術分野】
【０００１】
この発明は熱交換器に関し、さらに詳しくは、たとえば自動車に搭載される冷凍サイクルであるカーエアコンのエバポレータとして好適に使用される熱交換器に関する。
【０００２】
この明細書および特許請求の範囲において、図１および図１１に矢印Ｘで示す方向を前、これと反対側を後というものとする。また、この明細書および特許請求の範囲において、「アルミニウム」という用語には、純アルミニウムの他にアルミニウム合金を含むものとする。
【背景技術】
【０００３】
従来、カーエアコン用エバポレータとして、１対の皿状プレートを対向させて周縁部どうしをろう付してなる複数の偏平中空体が並列状に配置され、隣接する偏平中空体間にルーバ付きコルゲートフィンが配置されて偏平中空体にろう付された、所謂積層型エバポレータが広く用いられていた。ところが、近年、エバポレータのさらなる小型軽量化および高性能化が要求されるようになってきた。
【０００４】
そして、このような要求を満たすエバポレータとして、本出願人は、先に、互いに間隔をおいて配置された第１および第２のヘッダタンクと、両ヘッダタンク間に設けられた熱交換コア部とを備えており、両ヘッダタンクの外形の横断面形状がそれぞれ前後対称であり、第１ヘッダタンクに、その内部を仕切壁により通風方向に区画することによって、通風方向下流側に位置する冷媒入口ヘッダ部と、通風方向上流側に位置する冷媒出口ヘッダ部とが設けられ、冷媒出口ヘッダ部内が、冷媒出口ヘッダ部と一体に形成された分流用抵抗板により上下２つの空間に区画されるとともに分流用抵抗板に複数の冷媒通過穴が形成され、冷媒入口ヘッダ部および冷媒出口ヘッダ部の一端が、両ヘッダ部に跨って接合された第１キャップにより閉鎖されるとともに、同他端が、第１キャップと同形状でかつ両ヘッダ部に跨って接合された第２キャップにより閉鎖され、第１キャップにおける冷媒入口ヘッダ部を閉鎖する部分に冷媒入口が形成されるとともに、同じく冷媒出口ヘッダ部を閉鎖する部分に冷媒出口が形成され、冷媒入口に通じる冷媒流入部および冷媒出口に通じる冷媒流出部を有するパイプジョイント部材が第１キャップに接合されており、第２ヘッダタンクに、その内部を仕切壁により通風方向に区画することによって、通風方向下流側に位置する冷媒流入ヘッダ部と、通風方向上流側に位置する冷媒流出ヘッダ部とが設けられるとともに両ヘッダ部が相互に連通させられ、熱交換コア部が両ヘッダタンクの長さ方向に間隔をおいて配置された複数の熱交換管からなる熱交換管群が通風方向に並んで複数列配置されることにより構成され、少なくとも１列の熱交換管群の熱交換管の両端部が冷媒入口ヘッダ部および冷媒流入ヘッダ部に接続され、残りの熱交換管群の熱交換管の両端部が冷媒出口ヘッダ部および冷媒流出ヘッダ部に接続されたエバポレータを提案した（特許文献１参照）。このエバポレータは、各構成部材を組み合わせて仮止めし、すべての構成部材を一括してろう付することにより製造される。
【０００５】
ところが、エバポレータの製造にあたって各構成部材を組み立てる際に、第１ヘッダタンクの外形の横断面形状が前後方向の中心線に対して前後対称であるとともに両キャップが同形状であることから、冷媒入口および冷媒出口が形成されていない第２キャップにパイプジョイント部材が組み合わせられるというパイプジョイント部材の誤組の可能性があり、パイプジョイント部材の冷媒流入部と冷媒入口ヘッダ部の冷媒入口、およびパイプジョイント部材の冷媒流出部と冷媒出口ヘッダ部の冷媒出口とが連通しなくなって、エバポレータとして機能しなくなるおそれがある。また、冷媒入口および冷媒出口を有する第１キャップおよびパイプジョイント部材は、たとえば車種が異なる場合には、第１ヘッダタンクの一端側に取り付けられたり、これとは逆に、他端側に取り付けられたりすることがあるが、この場合にも、第１ヘッダタンクの外形の横断面形状が前後対称であるとともに両キャップが同形状であることから、冷媒入口および冷媒出口が形成されていない第２キャップにパイプジョイント部材が組み合わせられるというパイプジョイント部材の誤組の可能性があり、パイプジョイント部材の冷媒流入部と冷媒入口ヘッダ部の冷媒入口、およびパイプジョイント部材の冷媒流出部と冷媒出口ヘッダ部の冷媒出口とが連通しなくなって、エバポレータとして機能しなくなるおそれがある。
【特許文献１】特開２００３−７５０２４号公報（図１５）
【発明の開示】
【発明が解決しようとする課題】
【０００６】
この発明の目的は、上記問題を解決し、製造の際にパイプジョイント部材の誤組を防止しうる熱交換器を提供することにある。
【課題を解決するための手段】
【０００７】
本発明は、上記目的を達成するために以下の態様からなる。
【０００８】
1)前後方向に並んで配置された冷媒入口ヘッダ部および冷媒出口ヘッダ部と、両ヘッダ部を通じさせる冷媒循環経路とを備えており、冷媒入口ヘッダ部の一端に冷媒入口が形成されるとともに、冷媒出口ヘッダ部における冷媒入口と同一端に冷媒出口が形成され、冷媒入口から冷媒入口ヘッダ部内に流入した冷媒が、冷媒循環経路を通って冷媒出口ヘッダ部に戻り、冷媒出口から送り出されるようになっている熱交換器であって、
冷媒入口ヘッダ部および冷媒出口ヘッダ部の一端が、両ヘッダ部に跨って接合された第１キャップにより閉鎖されるとともに、同他端が、両ヘッダ部に跨って接合された第２キャップにより閉鎖され、第１キャップにおける冷媒入口ヘッダ部を閉鎖する部分に冷媒入口が形成されるとともに、同じく冷媒出口ヘッダ部を閉鎖する部分に冷媒出口が形成され、冷媒入口に通じる冷媒流入部および冷媒出口に通じる冷媒流出部を有するパイプジョイント部材が第１キャップに接合されており、第１キャップに嵌合凹所が形成されるとともに、パイプジョイント部材に、第１キャップ側に突出しかつ嵌合凹所内に嵌る嵌合凸部が形成され、第２キャップには嵌合凸部が嵌る嵌合凹所が形成されていない熱交換器。
【０００９】
2)パイプジョイント部材がプレート状である上記1)記載の熱交換器。
【００１０】
3)第１および第２キャップの外形が、嵌合凹所を除いて同一である上記1)または2)記載の熱交換器。
【００１１】
4)パイプジョイント部材の冷媒流入部および冷媒流出部がそれぞれ短円筒状であり、冷媒流入部に、冷媒入口管の端部が差し込まれて接合され、冷媒流出部に、冷媒出口管の端部が差し込まれて接合されている上記1)〜3)のうちのいずれかに記載の熱交換器。
【００１２】
5)冷媒流入部の外径が冷媒流出部の外径よりも小さくなっている上記4)記載の熱交換器。
【００１３】
6)第１キャップにおける前後方向の中心からずれた位置に嵌合凹所が形成されている上記1)〜5)のうちのいずれかに記載の熱交換器。
【００１４】
7)嵌合凹所が、第１キャップの周縁部に形成された切り欠きからなる上記1)〜6)のうちのいずれかに記載の熱交換器。
【００１５】
8)冷媒入口ヘッダ部の後側に冷媒出口ヘッダ部が配置され、冷媒循環経路が、冷媒入口ヘッダ部の下方にこれと対向するように配置された冷媒流入側中間ヘッダ部、冷媒出口ヘッダ部の下方にこれと対向するように配置された冷媒流出側中間ヘッダ部および複数の熱交換管により構成されており、冷媒流入側中間ヘッダ部と冷媒流出側中間ヘッダ部とが連通させられ、冷媒入口ヘッダ部と冷媒流入側中間ヘッダ部との間、および冷媒出口ヘッダ部と冷媒流出側中間ヘッダ部との間に、それぞれ各ヘッダ部の長さ方向に間隔をおいて配置された複数の熱交換管からなる熱交換管群が少なくとも１列配置されて熱交換コア部が形成され、これらの熱交換管群を構成する熱交換管の両端部が互いに対向するヘッダ部に接続されている上記1)〜7)のうちのいずれかに記載の熱交換器。
【００１６】
9)冷媒出口ヘッダ部内が区画手段により高さ方向に２つの空間に区画されるとともに、区画手段に冷媒通過穴が形成され、冷媒出口ヘッダ部の第１の空間が冷媒出口に通じているとともに、第２の空間に臨むように熱交換管が接続されている上記8)記載の熱交換器。
【００１７】
10)両キャップに、冷媒入口ヘッダ部内に嵌入される第１内方突出部、冷媒出口ヘッダ部の第１空間内に嵌入される第２内方突出部、および冷媒出口ヘッダ部の第２空間内に嵌入される第３内方突出部が形成されている上記9)記載の熱交換器。
【００１８】
11)第１キャップにおける第１内方突出部の突出端壁に冷媒入口が形成され、同じく第２内方突出部の突出端壁に冷媒出口が形成されている上記10)記載の熱交換器。
【００１９】
12)冷媒入口ヘッダ部と冷媒出口ヘッダ部とが一体化されている上記9)〜11)のうちのいずれかに記載の熱交換器。
【００２０】
13)冷媒入口ヘッダ部と冷媒出口ヘッダ部とが、両ヘッダ部の熱交換管側の部分を形成しかつ熱交換管が接続された第１部材と、両ヘッダ部の熱交換管とは反対側の部分を形成しかつ第１部材に接合された第２部材とからなり、これにより両ヘッダ部が一体化されている上記12)記載の熱交換器。
【００２１】
14)第２部材に、冷媒入口ヘッダ部と冷媒出口ヘッダ部とを区画する仕切手段と、冷媒出口ヘッダ部内を高さ方向に２つの空間に区画する区画手段とが形成されている上記13)記載の熱交換器。
【００２２】
15)第２部材がアルミニウム押出形材で形成されている上記14)記載の熱交換器。
【００２３】
16)圧縮機、コンデンサおよびエバポレータを備えており、エバポレータが、上記1)〜15)のうちのいずれかに記載の熱交換器からなる冷凍サイクル。
【００２４】
17)上記16)記載の冷凍サイクルが、エアコンとして搭載されている車両。
【発明の効果】
【００２５】
上記1)の熱交換器によれば、第１キャップに嵌合凹所が形成されるとともに、パイプジョイント部材に、第１キャップ側に突出しかつ嵌合凹所内に嵌る嵌合凸部が形成され、第２キャップには嵌合凸部が嵌る嵌合凹所が形成されていないので、熱交換器の製造にあたって各構成部材を組み立てる際に、パイプジョイント部材を第２キャップに組み合わせようとすれば、嵌合凸部が第２キャップに当接することになって第２キャップにパイプジョイント部材が組み合わせられることが防止され、その結果パイプジョイント部材の誤組を確実に防止することができる。したがって、この熱交換器によれば、パイプジョイント部材の冷媒流入部と冷媒入口ヘッダ部の冷媒入口、およびパイプジョイント部材の冷媒流出部と冷媒出口ヘッダ部の冷媒出口が確実に連通させられ、熱交換器としての使用に支障を来さない。また、両ヘッダ部の一端側に取り付けられるべき第１キャップの嵌合凹所とパイプジョイント部材の嵌合凸部の位置および／または大きさと、冷媒入口ヘッダ部および冷媒出口ヘッダ部の他端側に取り付けられるべき第１キャップの嵌合凹所とパイプジョイント部材の嵌合凸部の位置および／または大きさとを、異なったものにしておけば、熱交換器の製造にあたって各構成部材を組み立てる際に、一端側に取り付けられるべき第１キャップに他端側に取り付けられるべきパイプジョイント部材が組み合わせられたり、これとは逆に他端側に取り付けられるべき第１キャップに一端側に取り付けられるべきパイプジョイント部材が組み合わせられたりすることが防止され、その結果パイプジョイント部材の誤組を確実に防止することができる。したがって、この熱交換器によれば、必要に応じて、第１キャップおよびパイプジョイント部材を取り付けるべき端部が変更になったとしても、パイプジョイント部材の冷媒流入部と冷媒入口ヘッダ部の冷媒入口、およびパイプジョイント部材の冷媒流出部と冷媒出口ヘッダ部の冷媒出口が確実に連通させられ、熱交換器としての使用に支障を来さない。
【００２６】
上記2)の熱交換器によれば、パイプジョイント部材がプレート状であるから、パイプジョイント部材の熱容量が比較的小さくなり、パイプジョイント部材をたとえばろう付により冷媒入口ヘッダ部および冷媒出口ヘッダ部に接合する場合、ろう付性が向上し、熱交換器全体の製造作業が簡単になる。
【００２７】
上記3)の熱交換器のように、第１および第２キャップの外形が、嵌合凹所を除いて同一であると、熱交換器の製造にあたって各構成部材を組み立てる際に、パイプジョイント部材を第２キャップに組み合わせる可能性が高まるが、この場合であっても、上記1)のように構成されていると、パイプジョイント部材の誤組を確実に防止することができる。
【００２８】
上記5)の熱交換器によれば、冷媒流入部の外径が冷媒流出部の外径よりも小さくなっているので、冷媒流入部の外径をかなり小さくすることができ、その結果冷媒流入部と冷媒流出部との間隔を比較的大きくすることができる。したがって、パイプジョイント部材における冷媒流入部と冷媒流出部との間の部分と冷媒入口ヘッダ部および冷媒出口ヘッダ部との接合面積が大きくなり、接合不良の発生を防止することが可能となって、冷媒入口ヘッダ部と冷媒出口ヘッダ部との短絡が防止される。
【００２９】
上記7)の熱交換器によれば、第１キャップの嵌合凹所を比較的簡単に形成することができる。
【００３０】
上記9)の熱交換器によれば、区画手段の働きにより、冷媒入口ヘッダ部に接続されたすべての熱交換管の冷媒流通量が均一化されるとともに、冷媒出口ヘッダ部に接続されたすべての熱交換管の冷媒流通量が均一化され、熱交換器の熱交換性能が一層向上する。
【００３１】
上記10)の熱交換器によれば、両キャップに、冷媒入口ヘッダ部内に嵌入される第１内方突出部、冷媒出口ヘッダ部の第１空間内に嵌入される第２内方突出部、および冷媒出口ヘッダ部の第２空間内に嵌入される第３内方突出部が形成されているので、冷媒入口ヘッダ部と冷媒出口ヘッダ部との短絡を防止することができる。
【００３２】
上記12)の熱交換器によれば、冷媒入口ヘッダ部と冷媒出口ヘッダ部とが一体化されているので、熱交換器を製造する際の両ヘッダ部の取り扱い性が向上する。  上記13)の熱交換器によれば、全体の部品点数を少なくすることができる。
【００３３】
上記14)の熱交換器によれば、仕切手段および区画手段を比較的簡単に設けることができ、第１部材および第２部材により一体化された冷媒入口ヘッダ部と冷媒出口ヘッダ部とを簡単に設けることができる。
【００３４】
上記15)の熱交換器によれば、仕切手段および区画手段を有する第２部材を、比較的簡単に製造することができる。
【発明を実施するための最良の形態】
【００３５】
以下、この発明の実施形態を、図面を参照して説明する。この実施形態は、この発明による熱交換器をカーエアコン用エバポレータに適用したものである。なお、以下の説明において、図２の上下、左右を上下、左右というものとする。
【００３６】
図１および図２はこの発明による熱交換器を適用したカーエアコン用エバポレータの全体構成を示し、図３〜図７および図９は要部の構成を示し、図８は両キャップおよびパイプジョイント部材を示す。また、図１０はエバポレータにおける冷媒の流れ方を示す。
【００３７】
図１および図２において、フロン系冷媒を使用するカーエアコンに用いられるエバポレータ(1)は、上下方向に間隔をおいて配置されたアルミニウム製冷媒入出用タンク(2)およびアルミニウム製冷媒ターン用タンク(3)と、両タンク(2)(3)間に設けられた熱交換コア部(4)とを備えている。
【００３８】
冷媒入出用タンク(2)は、前側（通風方向下流側）に位置する冷媒入口ヘッダ部(5)と後側（通風方向上流側）に位置する冷媒出口ヘッダ部(6)とを備えている。冷媒入出用タンク(2)の冷媒入口ヘッダ部(5)の右端部にアルミニウム製冷媒入口管(7)が接続され、同じく冷媒出口ヘッダ部(6)の右端部にアルミニウム製冷媒出口管(8)が接続されている。冷媒ターン用タンク(3)は、前側に位置する冷媒流入ヘッダ部(9)（冷媒流入側中間ヘッダ部）と後側に位置する冷媒流出ヘッダ部(11)（冷媒流出側中間ヘッダ部）とを備えている。
【００３９】
熱交換コア部(4)は、左右方向に間隔をおいて並列状に配置された複数の熱交換管(12)からなる熱交換管群(13)が、前後方向に並んで複数列、ここでは２列配置されることにより構成されている。各熱交換管群(13)の隣接する熱交換管(12)どうしの間の通風間隙、および各熱交換管群(13)の左右両端の熱交換管(12)の外側にはそれぞれコルゲートフィン(14)が配置されて熱交換管(12)にろう付されている。左右両端のコルゲートフィン(14)の外側にはそれぞれアルミニウム製サイドプレート(15)が配置されてコルゲートフィン(14)にろう付されている。前側熱交換管群(13)の熱交換管(12)の上下両端は冷媒入口ヘッダ部(5)および冷媒流入ヘッダ部(9)に接続され、後側熱交換管群(13)の熱交換管(12)の上下両端部は冷媒出口ヘッダ部(6)および冷媒流出ヘッダ部(11)に接続されている。そして、冷媒流入ヘッダ部(9)、冷媒流出ヘッダ部(11)およびすべての熱交換管(12)により、冷媒入口ヘッダ部(5)と冷媒出口ヘッダ部(6)とを通じさせる冷媒循環経路が構成されている。
【００４０】
図３〜図７に示すように、冷媒入出用タンク(2)は、両面にろう材層を有するアルミニウムブレージングシートから形成されかつ熱交換管(12)が接続されたプレート状の第１部材(16)と、アルミニウム押出形材から形成されたベア材よりなりかつ第１部材(16)の上側を覆う第２部材(17)と、両面にろう材層を有するアルミニウムブレージングシートから形成されかつ両部材(16)(17)の右端に接合されて冷媒入口ヘッダ部(5)および冷媒出口ヘッダ部(6)の右端開口を閉鎖する第１キャップ(19)と、両面にろう材層を有するアルミニウムブレージングシートから形成されかつ両部材(16)(17)の左端に接合されて冷媒入口ヘッダ部(5)および冷媒出口ヘッダ部(6)の左端開口を閉鎖する第２キャップ(18)とよりなり、第１キャップ(19)の外面に、冷媒入口ヘッダ部(5)および冷媒出口ヘッダ部(6)に跨るように、前後方向に長いアルミニウム製のプレート状パイプジョイント部材(21)が接合されている。パイプジョイント部材(21)に、冷媒入口管(7)および冷媒出口管(8)が接続されている。
【００４１】
第１部材(16)は、その前後両側部分に、それぞれ中央部が下方に突出した曲率の小さい横断面円弧状の湾曲部(22)を有している。各湾曲部(22)に、前後方向に長い複数の管挿通穴(23)が、左右方向に間隔をおいて形成されている。前後両湾曲部(22)の管挿通穴(23)は、それぞれ左右方向に関して同一位置にある。前側湾曲部(22)の前縁および後側湾曲部(22)の後縁に、それぞれ立ち上がり壁(22a)が全長にわたって一体に形成されている。また、第１部材(16)の両湾曲部(22)間の平坦部(24)に、複数の貫通穴(25)が左右方向に間隔をおいて形成されている。
【００４２】
第２部材(17)は下方に開口した横断面略ｍ字状であり、左右方向に伸びる前後両壁(26)と、前後両壁(26)間の中央部に設けられかつ左右方向に伸びるとともに冷媒入出用タンク(2)内を前後２つの空間に仕切る仕切手段としての仕切壁(27)と、前後両壁(26)および仕切壁(27)の上端どうしをそれぞれ一体に連結する上方に突出した２つの略円弧状連結壁(28)とを備えている。第２部材(17)の後壁(26)の下端部と仕切壁(27)の下端部とは、冷媒出口ヘッダ部(6)内を高さ方向に２つの空間(6a)(6b)に区画する区画手段としての分流用抵抗板(29)により全長にわたって一体に連結されている。分流用抵抗板(29)の後側部分における左右両端部を除いた部分には、左右方向に長い複数の冷媒通過穴(31A)(31B)が左右方向に間隔をおいて貫通状に形成されている。仕切壁(27)の下端は前後両壁(26)の下端よりも下方に突出しており、その下縁に、下方に突出しかつ第１部材(16)の貫通穴(25)に嵌め入れられる複数の突起(27a)が左右方向に間隔をおいて一体に形成されている。突起(27a)は、仕切壁(27)の所定部分を切除することにより形成されている。
【００４３】
なお、第１および第２部材(16)(17)を合わせたものの外形は、前後方向の中心線に対して前後対称である。
【００４４】
第１キャップ(19)における冷媒入口ヘッダ部(5)を閉鎖する前側部分には、冷媒入口ヘッダ部(5)内に嵌め入れられる第１内方突出部(32)が一体に形成され、同じく冷媒出口ヘッダ部(6)を閉鎖する後側部分には、冷媒出口ヘッダ部(6)の分流用抵抗板(29)よりも上側の空間(6a)内に嵌め入れられる第２内方突出部(33)と、分流用抵抗板(29)よりも下側の空間(6b)内に嵌め入れられる第３内方左方突出部(34)とが間隔をおいて一体に形成されている。第１キャップ(19)の下縁部の前後両端部に、それぞれ切り欠き(19a)(19b)（嵌合凹所）が形成されている。両切り欠き(19a)(19b)の第１キャップ(19)の前後方向の中心からの距離は異なっているとともに、両切り欠き(19a)(19b)の大きさも異なっている。また、第１キャップ(19)の前後両側縁と上縁との間の円弧状部に、それぞれ左方に突出した係合爪(35)が一体に形成されている。さらに、第１キャップ(19)の下縁の前側部分および後側部分に、それぞれ左方に突出した係合爪(36)が一体に形成されている。第１キャップ(19)の第１内方突出部(32)の突出端壁に冷媒入口(37)が形成され、同じく第３内方突出部(33)の突出端壁に冷媒出口(38)が形成されている。
【００４５】
第２キャップ(18)は、切り欠き(19a)(19b)を除いて第１キャップ(19)と同一の外形を有しているとともに第１キャップ(19)と左右対称形であり、冷媒入口ヘッダ部(5)内に嵌め入れられる第１内方突出部(39)、冷媒出口ヘッダ部(6)の分流用抵抗板(29)よりも上側の空間(6a)内に嵌め入れられる第２内方突出部(41)、分流用抵抗板(29)よりも下側の空間(6b)内に嵌め入れられる第３内方突出部(42)、および右方に突出した上下の係合爪(43)(44)が一体に形成されている。第１および第２内方突出部(39)(41)の底壁には開口は形成されていない。また、第２キャップ(18)の下縁部には、嵌合凹所としての切り欠きは形成されていない。
【００４６】
パイプジョイント部材(21)は、第１キャップ(19)の冷媒入口(37)に通じる短円筒状冷媒流入口(45)（冷媒流入部）と、同じく冷媒出口(38)に通じる短円筒状冷媒流出口(46)（冷媒流出部）とを備えている。冷媒流入口(45)および冷媒流出口(46)の中心は同一高さ位置にある。冷媒流入口(45)の外径は冷媒流出口(46)の外径よりも小さくなっている。
【００４７】
パイプジョイント部材(21)の下縁の前後両端部には、それぞれ左方に突出しかつ第１キャップ(19)の切り欠き(19a)(19b)内に嵌る嵌合凸部(21a)(21b)が一体に形成されている。したがって、両嵌合凸部(21a)(21b)のパイプジョイント部材(21)の前後方向の中心からの距離が異なっているとともに、両嵌合凸部(21a)(21b)の大きさも異なっている。パイプジョイント部材(21)における冷媒流入口(45)と冷媒流出口(46)との間の部分には、上下方向に伸びるスリット(47)が形成されており、パイプジョイント部材(21)におけるスリット(47)の上方部分および下方部分には、それぞれスリット(47)に連なるように貫通穴(48)(49)が形成されている。また、パイプジョイント部材(21)における上下の貫通穴(48)(49)よりも上方部分および下方部分は、それぞれ左方に突出するように屈曲されて屈曲部(51)が形成されている。上下両屈曲部(51)は、それぞれ冷媒入口ヘッダ部(5)と冷媒出口ヘッダ部(6)との間の部分、すなわち両部材(16)(17)および第１キャップ(19)の前後方向の中央部に係合している。
【００４８】
パイプジョイント部材(21)の冷媒流入口(45)に、冷媒入口管(7)の一端部に形成された縮径部(7a)が差し込まれてろう付され、同じく冷媒流出口(46)に、冷媒出口管(8)の一端部に形成された縮径部(8a)が差し込まれてろう付されている。なお、冷媒入口管(7)および冷媒出口管(8)の一端部には、必ずしも縮径部(7a)(8a)を形成しておく必要はない。図示は省略したが、冷媒入口管(7)および冷媒出口管(8)の他端部には、両管(7)(8)に跨るように膨張弁取付部材が接合されている。
【００４９】
冷媒入出用タンク(2)の第１および第２部材(16)(17)と、両キャップ(18)(19)と、パイプジョイント部材(21)とは次のようにしてろう付されている。すなわち、第１および第２部材(16)(17)は、第２部材(17)の突起(27a)が第１部材(16)の貫通穴(25)に挿通されてかしめられることにより、第１部材(16)の前後の立ち上がり壁(22a)の上端部と第２部材(17)の前後両壁(26)の下端部とが係合した状態で、第１部材(16)のろう材層を利用して相互にろう付されている。両キャップ(18)(19)は、第１内方突出部(39)(32)が両部材(16)(17)における仕切壁(27)よりも前側の空間内に、第２内方突出部(41)(33)が仕切壁(27)よりも後側でかつ分流用抵抗板(29)よりも上側の空間内に、および第３内方突出部(42)(34)が両部材(16)(17)における仕切壁(27)よりも後側でかつ分流用抵抗板(29)よりも下側の空間内に、それぞれ嵌め入れられ、上側の係合爪(43)(35)が第２部材(17)の連結壁(28)に係合させられ、下側の係合爪(44)(36)が第１部材(16)の湾曲部(22)に係合させられた状態で、両キャップ(18)(19)のろう材層を利用して第１および第２部材(16)(17)にろう付されている。パイプジョイント部材(21)は、上側屈曲部(51)が第１キャップ(19)および第２部材(17)の前後方向の中央部に係合させられ、下側屈曲部(51)が第１キャップ(19)および第１部材(16)の前後方向の中央部に係合させられ、さらに嵌合凸部(21a)(21b)が第１キャップ(19)の下縁に形成された切り欠き(19a)(19b)内に嵌った状態で、第１キャップ(19)のろう材層を利用して第１キャップ(19)にろう付されている。
【００５０】
こうして、冷媒入出用タンク(2)が形成され、第１部材(16)の平坦部(24)および第２部材(17)の仕切壁(27)よりも前側が冷媒入口ヘッダ部(5)、同じく後側が冷媒出口ヘッダ部(6)となっており、冷媒入口ヘッダ部(5)および冷媒出口ヘッダ部(6)が一体化されている。また、冷媒出口ヘッダ部(6)は分流用抵抗板(29)により上下両空間(6a)(6b)に区画されており、これらの空間(6a)(6b)は冷媒通過穴(31A)(31B)により連通させられている。第１キャップ(19)の冷媒出口(38)は冷媒出口ヘッダ部(6)の上部空間(6a)内に通じている。上側の空間(6a)が冷媒出口(38)に通じる第１の空間であり、下側の空間(6b)が熱交換管(12)の臨む第２の空間である。さらに、パイプジョイント部材(21)の冷媒流入口(45)が冷媒入口(37)に、冷媒流出口(46)が冷媒出口(38)にそれぞれ連通させられている。
【００５１】
図４および図９に示すように、冷媒ターン用タンク(3)は、両面にろう材層を有するアルミニウムブレージングシートから形成されかつ熱交換管(12)が接続されたプレート状の第１部材(70)と、アルミニウム押出形材から形成されたベア材よりなりかつ第１部材(70)の下側を覆う第２部材(71)と、両面にろう材層を有するアルミニウムブレージングシートから形成されかつ左右両端開口を閉鎖するアルミニウム製キャップ(72)とよりなる。
【００５２】
冷媒ターン用タンク(3)の頂面(3a)は、前後方向の中央部が最高位部(73)となるとともに、最高位部(73)から前後両側に向かって徐々に低くなるように全体に横断面円弧状に形成されている。冷媒ターン用タンク(3)の前後両側部分に、頂面(3a)における最高位部(73)の前後両側から前後両側面(3b)まで伸びる溝(74)が、左右方向に間隔をおいて複数形成されている。
【００５３】
第１部材(70)は、前後方向の中央部が上方に突出した横断面円弧状であり、その前後両側縁に垂下壁(70a)が全長にわたって一体に形成されている。そして、第１部材(70)の上面が冷媒ターン用タンク(3)の頂面(3a)となり、垂下壁(70a)の外面が冷媒ターン用タンク(3)の前後両側面(3b)となっている。第１部材(70)の前後両側において、前後方向中央の最高位部(73)から垂下壁(70a)の下端にかけて溝(74)が形成されている。第１部材(70)の最高位部(73)を除いた前後両側部分における隣接する溝(74)どうしの間に、それぞれ前後方向に長い管挿通穴(75)が形成されている。前後の管挿通穴(75)は左右方向に関して同一位置にある。第１部材(70)の最高位部(73)に、複数の貫通穴(76)が左右方向に間隔をおいて形成されている。
【００５４】
第２部材(71)は上方に開口した横断面略ｗ字状であり、前後方向外側に向かって上方に湾曲した左右方向に伸びる前後両壁(77)と、前後両壁(77)間の中央部に設けられかつ左右方向に伸びるとともに冷媒ターン用タンク(3)内を前後２つの空間に仕切る仕切手段としての垂直状の仕切壁(78)と、前後両壁(77)および仕切壁(78)の下端どうしをそれぞれ一体に連結する２つの連結壁(79)とを備えている。仕切壁(78)の上端は前後両壁(77)の上端よりも上方に突出しており、その上縁に、上方に突出しかつ第１部材(70)の貫通穴(76)に嵌め入れられる複数の突起(78a)が左右方向に間隔をおいて一体に形成されている。また、仕切壁(78)における隣り合う突起(78a)間には、それぞれその上縁から冷媒通過用切り欠き(78b)が形成されている。突起(78a)および切り欠き(78b)は、仕切壁(78)の所定部分を切除することにより形成されている。
【００５５】
各キャップ(72)における冷媒流入ヘッダ部(9)を閉鎖する前側部分には、冷媒流入ヘッダ部(9)内に嵌め入れられる内方突出部(81)が一体に形成され、同じく冷媒流出ヘッダ部(11)を閉鎖する後側部分には、冷媒流出ヘッダ部(11)内に嵌め入れられる内方突出部(82)が一体に形成されている。また、各キャップ(72)の前後両側縁と下縁との間の円弧状部に、それぞれ左右方向内方に突出した係合爪(83)が一体に形成され、同じく上縁に左右方向内方に突出した複数の係合爪(84)が前後方向に間隔をおいて一体に形成されている。
【００５６】
冷媒ターン用タンク(3)の第１および第２部材(70)(71)と、両キャップ(72)とは次のようにしてろう付されている。第１および第２部材(70)(71)が、第２部材(71)の突起(78a)が貫通穴(76)に挿通されてかしめられることにより、第１部材(70)の前後の垂下壁(70a)の下端部と、第２部材(71)の前後両壁(77)の上端部とが係合した状態で、第１部材(70)のろう材層を利用して相互にろう付されている。両キャップ(72)は、前側の突出部(81)が両部材(70)(71)における仕切壁(78)よりも前側の空間内に、後側の突出部(82)が両部材(70)(71)における仕切壁(78)よりも後側の空間内にそれぞれ嵌め入れられ、上側の係合爪(84)が第１部材(70)に係合させられ、下側の係合爪(83)が第２部材(71)の前後両壁(77)に係合させられた状態で、各キャップ(72)のろう材層を利用して第１および第２部材(70)(71)にろう付されている。こうして、冷媒ターン用タンク(3)が形成されており、第２部材(71)の仕切壁(78)よりも前側が冷媒流入ヘッダ部(9)、同じく仕切壁(78)よりも後側が冷媒流出ヘッダ部(11)となっている。第２部材(71)の仕切壁(78)の切り欠き(78b)の上端開口は第１部材(70)によって閉じられ、これにより冷媒通過穴(85)が形成されている。
【００５７】
前後の熱交換管群(13)を構成する熱交換管(12)はアルミニウム押出形材からなり、前後方向に幅広の偏平状で、その内部に長さ方向に伸びる複数の冷媒通路(12a)が並列状に形成されている（図６参照）。熱交換管(12)の上端部は冷媒入出用タンク(2)の第１部材(16)の管挿通穴(23)に挿通された状態で、第１部材(16)のろう材層を利用して第１部材(16)にろう付され、同じく下端部は冷媒ターン用タンク(3)の第１部材(70)の管挿通穴(75)に挿通された状態で、第１部材(70)のろう材層を利用して第１部材(70)にろう付されている。
【００５８】
ここで、熱交換管(12)の左右方向の厚みである管高さは０．７５〜１．５ｍｍ、前後方向の幅である管幅は１２〜１８ｍｍ、周壁の肉厚は０．１７５〜０．２７５ｍｍ、冷媒通路どうしを仕切る仕切壁の厚さは０．１７５〜０．２７５ｍｍ、仕切壁のピッチは０．５〜３．０ｍｍ、前後両端壁の外面の曲率半径は０．３５〜０．７５ｍｍであることが好ましい。
【００５９】
なお、熱交換管(12)としては、アルミニウム押出形材製のものに代えて、アルミニウム製電縫管の内部にインナーフィンを挿入することにより複数の冷媒通路を形成したものを用いてもよい。また、片面にろう材層を有するアルミニウムブレージングシートのろう材層側に圧延加工を施すことにより形成され、かつ連結部を介して連なった２つの平坦壁形成部と、各平坦壁形成部における連結部とは反対側の側縁より隆起状に一体成形された側壁形成部と、平坦壁形成部の幅方向に所定間隔をおいて両平坦壁形成部よりそれぞれ隆起状に一体成形された複数の仕切壁形成部とを備えた板を、連結部においてヘアピン状に曲げて側壁形成部どうしを突き合わせて相互にろう付し、仕切壁形成部により仕切壁を形成したものを用いてもよい。
【００６０】
コルゲートフィン(14)は両面にろう材層を有するアルミニウムブレージングシートを用いて波状に形成されたものであり、その波頭部と波底部を連結する連結部に、前後方向に並列状に複数のルーバが形成されている。コルゲートフィン(14)は前後両熱交換管群(13)に共有されており、その前後方向の幅は前側熱交換管群(13)の熱交換管(12)の前側縁と後側熱交換管群(13)の熱交換管(12)の後側縁との間隔をほぼ等しくなっている。ここで、コルゲートフィン(14)のフィン高さである波頭部と波底部との直線距離は７．０ｍｍ〜１０．０ｍｍ、同じくフィンピッチである連結部のピッチは１．３〜１．８ｍｍであることが好ましい。なお、１つのコルゲートフィンが前後両熱交換管群(13)に共有される代わりに、両熱交換管群(13)の隣り合う熱交換管(12)どうしの間にそれぞれコルゲートフィンが配置されていてもよい。
【００６１】
エバポレータ(1)は、冷媒入口管(7)および冷媒出口管(8)を除く各構成部材を組み合わせて仮止めし、すべての構成部材を一括してろう付することにより製造される。そして、冷媒入出用タンク(2)の第１キャップ(19)に切り欠き(19a)(19b)が形成されるとともに、パイプジョイント部材(21)に、第１キャップ(19)側に突出しかつ切り欠き(19a)(19b)内に嵌る嵌合凸部(21a)(21b)が形成され、第２キャップ(18)には嵌合凸部(21a)(21b)が嵌る嵌合凹所としての切り欠きが形成されていないので、エバポレータ(1)の製造にあたって各構成部材を組み立てる際に、パイプジョイント部材(21)を第２キャップ(18)に組み合わせようとすれば、嵌合凸部(21a)(21b)が第２キャップ(18)に当接することになり、第２キャップ(18)にパイプジョイント部材(21)を組み合わせることができない。その結果、パイプジョイント部材(21)の誤組を確実に防止することができる。
【００６２】
エバポレータ(1)は、圧縮機およびコンデンサとともに冷凍サイクルを構成し、カーエアコンとして車両、たとえば自動車に搭載される。
【００６３】
上述したエバポレータ(1)において、図１０に示すように、圧縮機、コンデンサおよび膨張弁を通過した気液混相の２層冷媒が、冷媒入口管(7)からパイプジョイント部材(21)の冷媒流入口(45)および第１キャップ(19)の冷媒入口(37)を通って冷媒入出用タンク(2)の冷媒入口ヘッダ部(5)内に入り、分流して前側熱交換管群(13)のすべての熱交換管(12)の冷媒通路(12a)内に流入する。このとき、冷媒入口管(7)の縮径部(7a)が形成されているので、冷媒は冷媒入口ヘッダ部(5)の左端部まで至りやすくなり、前側熱交換管群(13)のすべての熱交換管(12)内へ均一に流入する。
【００６４】
すべての熱交換管(12)の冷媒通路(12a)内に流入した冷媒は、冷媒通路(12a)内を下方に流れて冷媒ターン用タンク(3)の冷媒流入ヘッダ部(9)内に入る。冷媒流入ヘッダ部(9)内に入った冷媒は、仕切壁(78)の冷媒通過穴(85)を通って冷媒流出ヘッダ部(11)内に入る。
【００６５】
冷媒流出ヘッダ部(11)内に入った冷媒は、分流して後側熱交換管群(13)のすべての熱交換管(12)の冷媒通路(12a)内に流入し、流れ方向を変えて冷媒通路(12a)内を上方に流れて冷媒出口ヘッダ部(6)の下空間(6b)内に入る。ここで、分流用抵抗板(29)によって冷媒の流れに抵抗が付与されるので、冷媒流出ヘッダ部(11)から後側熱交換管群(13)のすべての熱交換管(12)への分流が均一化されるとともに、冷媒入口ヘッダ部(5)から前側熱交換管群(13)のすべての熱交換管(12)への分流も一層均一化される。その結果、両熱交換管群(13)のすべての熱交換管(12)の冷媒流通量が均一化される。
【００６６】
ついで、冷媒は分流用抵抗板(29)の冷媒通過穴(31A)(31B)を通って冷媒出口ヘッダ部(6)の上部空間(6a)内に入り、第１キャップ(19)の冷媒出口(38)およびパイプジョイント部材(21)の冷媒流出口(46)を通り、冷媒出口管(8)に流出する。そして、冷媒が前側熱交換管群(13)の熱交換管(12)の冷媒通路(12a)、および後側熱交換管群(13)の熱交換管(12)の冷媒通路(12a)を流れる間に、通風間隙を図１に矢印Ｘで示す方向に流れる空気と熱交換をし、気相となって流出する。
【００６７】
このとき、コルゲートフィン(14)の表面に凝縮水が発生し、この凝縮水が冷媒ターン用タンク(3)の頂面(3a)に流下する。冷媒ターン用タンク(3)の頂面(3a)に流下した凝縮水は、キャピラリ効果により溝(74)内に入り、溝(74)内を流れて前後方向外側の端部から冷媒ターン用タンク(3)の下方へ落下する。こうして、冷媒ターン用タンク(3)の頂面(3a)とコルゲートフィン(14)の下端との間に多くの凝縮水が溜まることに起因する凝縮水の氷結が防止され、その結果エバポレータ(1)の性能低下が防止される。
【００６８】
図１１〜図１３は、冷媒入出用タンク(2)における冷媒入口ヘッダ部(5)の左端部にアルミニウム製冷媒入口管(7)が接続され、同じく冷媒出口ヘッダ部(6)の左端部にアルミニウム製冷媒出口管(8)が接続されるエバポレータ(1A)を示す。なお、以下の説明において、図１〜図９に示すものと同一物および同一部分には同一符号を付す。
【００６９】
このエバポレータ(1A)において、冷媒入出用タンク(2)の両部材(16)(17)の左端に、両面にろう材層を有するアルミニウムブレージングシートから形成されかつ冷媒入口ヘッダ部(5)および冷媒出口ヘッダ部(6)の左端開口を閉鎖する第１キャップ(60)がろう付され、同じく両部材(16)(17)の右端に、両面にろう材層を有するアルミニウムブレージングシートから形成されかつ冷媒入口ヘッダ部(5)および冷媒出口ヘッダ部(6)の右端開口を閉鎖する第２キャップ(61)がろう付され、第１キャップ(60)の外面に、冷媒入口ヘッダ部(5)および冷媒出口ヘッダ部(6)に跨るように、前後方向に長いアルミニウム製のにプレート状パイプジョイント部材(62)がろう付されている。
【００７０】
第１キャップ(60)は、図１〜図９に示すエバポレータ(1)における冷媒入出用タンク(2)の第１キャップ(19)とは前後逆向きであり、冷媒入口ヘッダ部(5)内に嵌め入れられる第１内方突出部(32)、冷媒出口ヘッダ部(6)の分流用抵抗板(29)よりも上側の空間(6a)内に嵌め入れられる第２内方突出部(33)、分流用抵抗板(29)よりも下側の空間(6b)内に嵌め入れられる第３内方突出部(34)、および右方に突出した上下の係合爪(35)(36)を有している。第１内方突出部(32)の突出端壁に冷媒入口(37)が形成され、第２内方突出部(33)の突出端壁に冷媒出口(38)が形成されている。
【００７１】
第１キャップ(60)の下縁部の前後両端部に、それぞれ切り欠き(60a)(60b)（嵌合凹所）が形成されている。両切り欠き(60a)(60b)の第１キャップ(60)の前後方向の中心からの距離は異なっているとともに、両切り欠き(60a)(60b)の大きさも異なっている。ここで、前側の切り欠き(60a)の大きさおよび第１キャップ(60)の前後方向の中心からの距離と、エバポレータ(1)の第１キャップ(19)における後側の切り欠き(19b)の大きさおよび第１キャップ(19)の前後方向の中心からの距離とは異なっており、後側の切り欠き(60b)の大きさおよび第１キャップ(60)の前後方向の中心からの距離と、第１キャップ(19)における前側の切り欠き(19a)の大きさおよびの第１キャップ(19)の前後方向の中心からの距離とは異なっている。したがって、図１〜図９に示すエバポレータ(1)のパイプジョイント部材(21)の嵌合凸部(21a)(21b)は、第１キャップ(60)の切り欠き(60a)(60b)に嵌ることはなく、パイプジョイント部材(21)をエバポレータ(1A)の第１キャップ(60)に組み合わせることが防止される。
【００７２】
第２キャップ(61)は第１キャップ(60)と同一の外形を有しているとともに、図１〜図９に示すエバポレータ(1)における冷媒入出用タンク(2)の第２キャップ(18)とは前後逆向きであり、冷媒入口ヘッダ部(5)内に嵌め入れられる第１内方突出部(39)、冷媒出口ヘッダ部(6)の分流用抵抗板(29)よりも上側の空間(6a)内に嵌め入れられる第２内方突出部(41)、分流用抵抗板(29)よりも下側の空間(6b)内に嵌め入れられる第３内方突出部(42)、および左方に突出した上下の係合爪(43)(44)を有している。第１および第２内方突出部(39)(41)の突出端壁には開口は形成されていない。また、第２キャップ(61)の下縁部には嵌合凹所としての切り欠きは形成されいない。
【００７３】
パイプジョイント部材(62)は、図１〜図９に示すエバポレータ(1)のパイプジョイント部材(21)と前後逆向きであり、第１キャップ(60)の冷媒入口(37)に通じる短円筒状冷媒流入口(45)（冷媒流入部）、同じく冷媒出口(38)に通じる短円筒状冷媒流出口(46)（冷媒流出部）、スリット(47)、上下の貫通穴(48)(49)および上下の屈曲部(51)を有している。
【００７４】
パイプジョイント部材(62)の下縁の前後両端部には、それぞれ右方に突出しかつ第１キャップ(60)の切り欠き(60a)(60b)内に嵌る嵌合凸部(62a)(62b)が一体に形成されている。両嵌合凸部(62a)(62b)のパイプジョイント部材(62)の前後方向の中心からの距離が異なっているとともに、両嵌合凸部(62a)(62b)の大きさも異なっている。ここで、前側の嵌合凸部(62a)の大きさおよびパイプジョイント部材(62)の前後方向の中心からの距離と、エバポレータ(1)のパイプジョイント部材(21)における後側の嵌合凸部(21b)の大きさおよびパイプジョイント部材(21)の前後方向の中心からの距離とは異なっており、後側の嵌合凸部(62b)の大きさおよびパイプジョイント部材(62)の前後方向の中心からの距離と、パイプジョイント部材(21)における前側の嵌合凸部(21a)の大きさおよびのパイプジョイント部材(21)の前後方向の中心からの距離とは異なっている。したがって、パイプジョイント部材(62)は、図１〜図９に示すエバポレータ(1)の第１キャップ(19)の切り欠き(19a)(19b)に嵌ることはなく、パイプジョイント部材(62)をエバポレータ(1)の第１キャップ(19)に組み合わせることが防止される。
【００７５】
冷媒入出用タンク(2)の第１および第２部材(16)(17)と、両キャップ(60)(61)と、パイプジョイント部材(62)とは、図１〜図９に示すエバポレータ(1)の場合と同様にしてろう付されている。
【００７６】
上記実施形態においては、両タンク(2)(3)の冷媒入口ヘッダ部(5)と冷媒流入ヘッダ部(9)との間、および冷媒出口ヘッダ部(6)と冷媒流出ヘッダ部(11)との間にそれぞれ１つの熱交換管群(13)が設けられているが、これに限るものではなく、両タンク(2)(3)の冷媒入口ヘッダ部(5)と冷媒流入ヘッダ部(9)との間、および冷媒出口ヘッダ部(6)と冷媒流出ヘッダ部(11)との間にそれぞれ１または２以上の熱交換管群(13)が設けられていてもよい。また、冷媒入出用タンクが下、冷媒ターン用タンクが上となって用いられることもある。
【００７７】
さらに、上記実施形態においては、この発明による熱交換器がエバポレータに適用されているが、これに限定されるものではなく、他の種々の熱交換器にも適用可能である。
【図面の簡単な説明】
【００７８】
【図１】この発明による熱交換器を適用したエバポレータの全体構成を示す一部切り欠き斜視図である。
【図２】図１のエバポレータの中間部を省略した垂直断面図である。
【図３】図１のエバポレータの冷媒入出用タンクの部分の分解斜視図である。
【図４】一部を省略した図２のＡ−Ａ線拡大断面図である。
【図５】一部を省略した図２のＢ−Ｂ線拡大断面図である。
【図６】図２のＣ−Ｃ線断面図である。
【図７】図１のエバポレータの第１および第２部材、第１および第２キャップならびにパイプジョイント部材を示す一部を省略した分解斜視図である。
【図８】図１のエバポレータの第１および第２キャップならびにパイプジョイント部材を示す正面図である。
【図９】図１のエバポレータの冷媒ターン用タンクの部分の分解斜視図である。
【図１０】図１のエバポレータにおける冷媒の流れ方を示す図である。
【図１１】冷媒入出用タンクの冷媒入口ヘッダ部および冷媒出口ヘッダ部における図１のエバポレータの場合とは反対側の端部に冷媒入口管および冷媒出口管が接続されるエバポレータを示す一部切り欠き斜視図である。
【図１２】図１１のエバポレータの第１および第２部材、第１および第２キャップならびにパイプジョイント部材を示す一部を省略した分解斜視図である。
【図１３】図１１のエバポレータの第１および第２キャップならびにパイプジョイント部材を示す正面図である。
【符号の説明】
【００７９】
(1)(1A)：エバポレータ（熱交換器）
(2)：冷媒入出用タンク
(3)：冷媒ターン用タンク
(4)：熱交換コア部
(5)：冷媒入口ヘッダ部
(6)：冷媒出口ヘッダ部
(6a)：上部空間
(6b)：下部空間
(7)：冷媒入口管
(7a)：縮径部
(8)：冷媒出口管
(8a)：縮径部
(9)：冷媒流入ヘッダ部（冷媒流入側中間ヘッダ部）
(11)：冷媒流出ヘッダ部（冷媒流出側中間ヘッダ部）
(12)：熱交換管
(13)：熱交換管群
(16)：第１部材
(17)：第２部材
(18)(61)：第２キャップ
(19)(60)：第１キャップ
(19a)(19b)(60a)(60b)：切り欠き（嵌合凹所）
(21)(62)：パイプジョイント部材
(21a)(21b)(62a)(62b)：嵌合凸部
(27)：仕切壁（仕切手段）
(29)：分流用抵抗板（区画手段）
(32)：第１内方突出部
(33)：第２内方突出部
(34)：第３内方突出部
(37)：冷媒入口
(38)：冷媒出口
(39)：第１内方突出部
(41)：第２内方突出部
(42)：第３内方突出部
(45)：冷媒流入口（冷媒流入部）
(46)：冷媒流出口（冷媒流出部）
【図１】
2006275372.tif 000003
【図２】
2006275372.tif 000004
【図３】
2006275372.tif 000005
【図４】
2006275372.tif 000006
【図５】
2006275372.tif 000007
【図６】
2006275372.tif 000008
【図７】
2006275372.tif 000009
【図８】
2006275372.tif 000010
【図９】
2006275372.tif 000011
【図１０】
2006275372.tif 000012
【図１１】
2006275372.tif 000013
【図１２】
2006275372.tif 000014
【図１３】
2006275372.tif 000015